(57)【要約】【課題】電池駆動式のカードリーダ端末の電力消費量を削減する。【解決手段】セキュリティ用の無線カードリーダシステムは、第１記憶部を有する電池駆動式のカードリーダ端末と、インターフェース装置と、上位ホスト装置と、を備える。カードリーダ端末は、通常動作状態において、複数のカードが同時にカードリーダ端末に近接したときに、複数のカードのカードデータを読み取って第１記憶部に記憶し、複数のカードのうちの１枚目のカードのカードデータをインターフェース装置に送信した後に、スリープ状態に移行する。また、カードリーダ端末は、タイマー割込によってスリープ状態から通常動作状態に復帰してインターフェース装置から送信された認証結果を受信し、認証結果が認証失敗である場合に、複数のカードのうちの２枚目のカードのカードデータを第１記憶部から読み出してインターフェース装置に送信する。【選択図】図３
2018128837.tif 000002
【特許請求の範囲】
【請求項１】
セキュリティ用の無線カードリーダシステムであって、
第１記憶部を有し、カードから無線送信されたカードデータを読み取って前記第１記憶部に記憶するとともに前記カードデータを他の装置に無線送信する電池駆動式のカードリーダ端末と、
前記カードリーダ端末から無線送信された前記カードデータを受信するとともに前記カードデータを他の装置に送信するインターフェース装置と、
前記インターフェース装置から送信された前記カードデータを受信するとともに前記カードデータを認証する上位ホスト装置と、
を備え、
前記カードリーダ端末は、通常動作状態と、前記通常動作状態よりも電力消費量が小さなスリープ状態で動作可能であり、前記通常動作状態において、複数のカードが同時に前記カードリーダ端末に近接したときに、前記複数のカードのカードデータを読み取って前記第１記憶部に記憶し、前記複数のカードのうちの１枚目のカードのカードデータを前記インターフェース装置に送信した後に、前記スリープ状態に移行し、
前記上位ホスト装置は、前記１枚目のカードのカードデータを前記インターフェース装置から受信して認証した後に、当該認証結果を前記インターフェース装置に送信し、
前記インターフェース装置は、前記上位ホスト装置から送信された前記認証結果を受信した後に、前記認証結果を前記カードリーダ端末に送信し、
前記カードリーダ端末は、タイマー割込によって前記スリープ状態から前記通常動作状態に復帰して前記インターフェース装置から送信された前記認証結果を受信し、前記認証結果が認証失敗である場合に、前記複数のカードのうちの２枚目のカードのカードデータを前記第１記憶部から読み出して前記インターフェース装置に送信する、
無線カードリーダシステム。
【請求項２】
請求項１に記載の無線カードリーダシステムにおいて、
前記インターフェース装置は、第２記憶部を有し、前記上位ホスト装置から送信された前記認証結果を受信するとともに前記認証結果を前記第２記憶部に記憶し、
前記カードリーダ端末は、前記スリープ状態から前記通常動作状態に復帰して前記インターフェース装置に対してポーリングを行い、
前記インターフェース装置は、前記ポーリングを受けたときに前記認証結果を既に記憶している場合には、前記認証結果を前記カードリーダ端末に送信し、前記認証結果を記憶していない場合には、認証中であることを示す応答を前記カードリーダ端末に送信する、
無線カードリーダシステム。
【請求項３】
請求項１又は請求項２に記載の無線カードリーダシステムにおいて、
前記インターフェース装置は、前記カードリーダ端末から１枚分のカードのカードデータを受信した後、当該カードデータの認証のために前記上位ホスト装置と行う通信の完了を待つことなく前記カードリーダ端末に肯定応答を送信し、
前記カードリーダ端末は、前記肯定応答に応じて前記スリープ状態に移行する、
無線カードリーダシステム。
【請求項４】
請求項２に記載の無線カードリーダシステムにおいて、
前記上位ホスト装置は、前記上位ホスト装置が管理するセキュリティ状態に変化があったときに、前記セキュリティ状態を前記インターフェース装置に送信し、
前記インターフェース装置は、前記上位ホスト装置から送信された前記セキュリティ状態を受信するとともに前記セキュリティ状態を前記第２記憶部に記憶し、前記カードリーダ端末から状態要求があったときに、前記セキュリティ状態を前記第２記憶部から読み出して前記カードリーダ端末に送信する、
無線カードリーダシステム。
【発明の詳細な説明】
【技術分野】
【０００１】
本発明は、セキュリティ用の無線カードリーダシステムに関するものである。
【背景技術】
【０００２】
特許文献１には、カードリーダ（カードリーダ端末）と出入制御装置とを備える出入管理システムが開示されている。カードリーダは、利用者が保有するＩＤカードがカードリーダにかざされたときに、当該ＩＤカードの識別コード（カードデータ）を読み取って出入制御装置に送信する。出入制御装置は、出入制御装置が管理している室への入室資格を有する利用者が保有するＩＤカードの識別コードを全て記憶しており、カードリーダから送信された識別コードを記憶された識別コードと照合することによって利用者を認証する。認証結果がＯＫの場合には、電気錠付き扉に解錠制御を行い、利用者を入室させる。
【先行技術文献】
【特許文献】
【０００３】
【特許文献１】特開２０１１−２１０２１９号公報
【発明の概要】
【発明が解決しようとする課題】
【０００４】
カードリーダ端末を電池駆動式とした場合には、電力消費量を可能な限り削減することが好ましい。しかし、複数のカードが同時にカードリーダ端末にかざされる場合には、複数のカードのカードデータを読み取って出入制御装置に送信するために電力消費量が増えてしまうという問題がある。
【課題を解決するための手段】
【０００５】
本発明は、上述の課題の少なくとも一部を解決するためになされたものであり、以下の形態として実現することが可能である。
【０００６】
（１）本発明の一形態によれば、セキュリティ用の無線カードリーダシステムが提供される。この無線カードリーダシステムは、第１記憶部を有し、カードから無線送信されたカードデータを読み取って前記第１記憶部に記憶するとともに前記カードデータを他の装置に無線送信する電池駆動式のカードリーダ端末と、前記カードリーダ端末から無線送信された前記カードデータを受信するとともに前記カードデータを他の装置に送信するインターフェース装置と、前記インターフェース装置から送信された前記カードデータを受信するとともに前記カードデータを認証する上位ホスト装置と、を備える。前記カードリーダ端末は、通常動作状態と、前記通常動作状態よりも電力消費量が小さなスリープ状態で動作可能であり、前記通常動作状態において、複数のカードが同時に前記カードリーダ端末に近接したときに、前記複数のカードのカードデータを読み取って前記第１記憶部に記憶し、前記複数のカードのうちの１枚目のカードのカードデータを前記インターフェース装置に送信した後に、前記スリープ状態に移行する。前記上位ホスト装置は、前記１枚目のカードのカードデータを前記インターフェース装置から受信して認証した後に、当該認証結果を前記インターフェース装置に送信し、前記インターフェース装置は、前記上位ホスト装置から送信された前記認証結果を受信した後に、前記認証結果を前記カードリーダ端末に送信し、前記カードリーダ端末は、タイマー割込によって前記スリープ状態から前記通常動作状態に復帰して前記インターフェース装置から送信された前記認証結果を受信し、前記認証結果が認証失敗である場合に、前記複数のカードのうちの２枚目のカードのカードデータを前記第１記憶部から読み出して前記インターフェース装置に送信する。
この形態の無線カードリーダシステムによれば、１枚目のカードの認証が失敗の場合に、カードリーダ端末が２枚目のカードのカードデータを第１記憶部から読み出してインターフェース装置に送信するので、カードリーダ端末が複数のカードの全てのカードデータを同時に送信する場合に比べて、電力消費量の期待値が小さく、電力消費量を削減できる。また、１枚目のカードのカードデータをインターフェース装置に送信した後に、通常動作状態から電力消費量が小さなスリープ状態に移行するので、電力消費量を削減できる。
【０００７】
（２）上記形態の無線カードリーダシステムにおいて、前記インターフェース装置は、第２記憶部を有し、前記上位ホスト装置から送信された前記認証結果を受信するとともに前記認証結果を前記第２記憶部に記憶し、前記カードリーダ端末は、前記スリープ状態から前記通常動作状態に復帰して前記インターフェース装置に対してポーリングを行い、前記インターフェース装置は、前記ポーリングを受けたときに前記認証結果を既に記憶している場合には、前記認証結果を前記カードリーダ端末に送信し、前記認証結果を記憶していない場合には、認証中であることを示す応答を前記カードリーダ端末に送信するようにしてもよい。
上記形態の無線カードリーダシステムによれば、カードリーダ端末がスリープ状態から通常動作状態に復帰してインターフェース装置に対してポーリングを行うことにより認証結果を受信するので、通常動作状態を維持して認証結果の受信待ちをする場合に比べて、電力消費量を削減できる。
【０００８】
（３）上記形態の無線カードリーダシステムにおいて、前記インターフェース装置は、前記カードリーダ端末から１枚分のカードのカードデータを受信した後、当該カードデータの認証のために前記上位ホスト装置と行う通信の完了を待つことなく前記カードリーダ端末に肯定応答を送信し、前記カードリーダ端末は、前記肯定応答に応じて前記スリープ状態に移行するようにしてもよい。
上記形態の無線カードリーダシステムによれば、カードリーダ端末が肯定応答に応じてスリープ状態に移行するので、一定時間内に肯定応答を受信していなければ再度カードデータを送信するように設定する場合には、使用者の待ち時間期待値を縮小でき、電力消費量を削減できる。
【０００９】
（４）上記形態の無線カードリーダシステムにおいて、前記上位ホスト装置は、前記上位ホスト装置が管理するセキュリティ状態に変化があったときに、前記セキュリティ状態を前記インターフェース装置に送信し、前記インターフェース装置は、前記上位ホスト装置から送信された前記セキュリティ状態を受信するとともに前記セキュリティ状態を前記第２記憶部に記憶し、前記カードリーダ端末から状態要求があったときに、前記セキュリティ状態を前記第２記憶部から読み出して前記カードリーダ端末に送信するようにしてもよい。
上記形態の無線カードリーダシステムによれば、インターフェース装置が記憶しているセキュリティ状態を前記カードリーダ端末に送信するので、カードリーダ端末が通常動作状態を維持してセキュリティ状態受信待ちをする場合に比べて、電力消費量を削減できる。
【００１０】
本発明は、上記以外の種々の形態で実現することも可能である。例えば、電池駆動式無線カードリーダ端末等の形態で実現することができる。
【図面の簡単な説明】
【００１１】
【図１】本発明の一実施形態におけるカードリーダ端末の概略外観図。
【図２】実施形態における無線カードリーダシステムの構成を示すブロック図。
【図３】一実施形態におけるカード認証処理のシーケンス図。
【図４】一実施形態におけるカード認証処理のシーケンス図。
【図５】比較例におけるカード認証処理のシーケンス図。
【図６】比較例におけるカード認証処理のシーケンス図。
【発明を実施するための形態】
【００１２】
図１は、本発明の一実施形態におけるカードリーダ端末２００の概略外観図である。カードリーダ端末２００は、電池駆動式であり、電気錠付き扉８００近傍の壁Ｗに設置されている。カードリーダ端末２００は、後述する無線カードリーダシステムの一構成であり、他の構成であるインターフェース装置及び上位ホスト装置と通信して、電気錠付き扉８００を解錠するために使用される。
【００１３】
カードリーダ端末２００は、カードリーダケース２１０と、施錠ランプ２２０と、解錠ランプ２３０と、起動スイッチ２４０とを備える。起動スイッチ２４０を押すと、電気錠付き扉８００のセキュリティ状態である施錠状態を示す施錠ランプ２２０、又は、解錠状態を示す解錠ランプ２３０が点灯する。この状態で、使用者がカード１００をカードリーダケース２１０の読取領域ＲＡに近接させると、カード１００のカードデータが読み取られる。後述するように、本実施形態のカードリーダ端末２００は、複数のカード１００が同時に近接すると、それらの複数のカード１００のカードデータを同時に読み取ることが可能である。
【００１４】
図２は、本発明の一実施形態における無線カードリーダシステム９００の構成を示す図である。無線カードリーダシステム９００は、カードリーダ端末２００と、インターフェース装置３００と、上位ホスト装置４００とを備える。
【００１５】
カードリーダ端末２００は、読取部２０１と、制御部２０２と、記憶部２０３（第１記憶部）と、通信部２０４と、電池２０５と、タイマー２０６とを有する。読取部２０１は、カードリーダケース２１０の読取領域ＲＡ（図１）に対応する位置に設置され、カード１００から無線送信されたカードデータを読み取る。記憶部２０３は、読取部２０１が読み取ったカードデータを記憶する。通信部２０４は、読取部２０１が読み取ったカードデータをインターフェース装置３００に無線送信する。制御部２０２は、中央処理装置を備えるマイクロコンピュータによって構成され、読取部２０１及び記憶部２０３、通信部２０４の動作を制御する。また、制御部２０２は、ランプ２２０，２３０（図１）の点灯を制御する。タイマー２０６は、制御部２０２に対して後述するタイマー割込を発生させる。電池２０５は、カードリーダ端末２００の各部を駆動する電源である。
【００１６】
インターフェース装置３００は、カードリーダ端末２００と無線通信を行うとともに、上位ホスト装置４００と有線通信を行う中継装置である。インターフェース装置３００は、第１通信部３０１と、制御部３０２と、記憶部３０３（第２記憶部）と、第２通信部３０４とを有する。第１通信部３０１は、カードリーダ端末２００の通信部２０４から無線送信されたカードデータを受信する。第２通信部３０４は、第１通信部３０１が受信したカードデータを上位ホスト装置４００に送信する。制御部３０２は、中央処理装置を備えるマイクロコンピュータによって構成され、第１通信部３０１及び記憶部３０３、第２通信部３０４の動作を制御する。
【００１７】
上位ホスト装置４００は、電気錠付き扉８００（図１）のセキュリティ状態（施錠／解錠状態）を管理する装置である。上位ホスト装置４００は、通信部４０１と、制御部４０２と、認証部４０３とを有する。通信部４０１は、インターフェース装置３００の第２通信部３０４から送信されたカードデータを受信する。認証部４０３は、通信部４０１が受信したカードデータを認証する。制御部４０２は、中央処理装置を備えるマイクロコンピュータによって構成され、通信部４０１及び認証部４０３の動作を制御する。また、制御部４０２は、カードデータの認証結果に基づき、電気錠付き扉８００の施錠及び解錠を制御する（図示せず）。
【００１８】
上位ホスト装置４００の通信部４０１は、カードデータの認証結果をインターフェース装置３００の第２通信部３０４に送信する。インターフェース装置３００において、第２通信部３０４は、当該カードデータの認証結果を受信し、記憶部３０３は、当該カードデータの認証結果を記憶し、第１通信部３０１は、当該カードデータの認証結果をカードリーダ端末２００の通信部２０４に送信する。カードリーダ端末２００の通信部２０４は、当該カードデータの認証結果を受信する。
【００１９】
また、上位ホスト装置４００の通信部４０１は、電気錠付き扉８００のセキュリティ状態に変化があったときに、変化後のセキュリティ状態をインターフェース装置３００の第２通信部３０４に送信する。インターフェース装置３００において、第２通信部３０４は、当該セキュリティ状態を受信し、記憶部３０３は、当該セキュリティ状態を記憶し、第１通信部は、カードリーダ端末２００から状態要求があったときに当該セキュリティ状態をカードリーダ端末２００の通信部２０４に送信する。カードリーダ端末２００において、通信部２０４は、当該セキュリティ状態を受信し、制御部２０２は、当該セキュリティ状態に基づいて施錠ランプ２２０又は解錠ランプ２３０を点灯させる。
【００２０】
なお、上位ホスト装置４００とインターフェース装置３００とは、無線通信を行ってもよい。また、上位ホスト装置４００とインターフェース装置３００は、電池駆動式ではなく、有線で商用電源に接続されていることが好ましい。
【００２１】
図３及び図４は、本発明の一実施形態におけるカード認証処理の流れの一例を表すシーケンス図である。カードリーダ端末２００は、通常動作状態と、通常動作状態よりも電力消費量が小さなスリープ状態で動作可能である。カードリーダ端末２００は、起動スイッチ２４０やタイマー割込に応じてスリープ状態から通常動作状態に移行し、必要な処理を行った後に、スリープ状態に再度移行する。図３及び図４において、カードリーダ端末２００の通常動作状態を実線で示しており、スリープ状態を破線で示している。
【００２２】
図３において、カード認証を行う前に、上位ホスト装置４００は、イベントＥ４１０において電気錠付き扉８００のセキュリティ状態に変化（この例では解錠状態から施錠状態への変化）があると、インターフェース装置３００に対して、変化後のセキュリティ状態を通知する状態送信ＴＣ１を実行する。インターフェース装置３００は、イベントＥ３１０において、上位ホスト装置４００から送信されたセキュリティ状態（この例では施錠状態）を記憶部３０３（図２）に記憶する。
【００２３】
カード１００を保有する使用者は、カード認証を行う際に、イベントＥ２１０においてカードリーダ端末２００の起動スイッチ２４０を押すことによって、カードリーダ端末２００を起動させる。この起動により、カードリーダ端末２００は、スリープ状態から通常動作状態に移行し、インターフェース装置３００に状態要求ＲＣ１を送信する。インターフェース装置３００は、状態要求ＲＣ１を受信すると、セキュリティ状態を記憶部３０３から読み出して、カードリーダ端末２００にそのセキュリティ状態を通知する状態応答ＳＣ１を送信する。その後、カードリーダ端末２００は、イベントＥ２２０において、セキュリティ状態を反映するように施錠ランプ２２０又は解錠ランプ２３０（図１）（この例では施錠ランプ２２０）を点灯させる。
【００２４】
起動後、複数のカード１００とカードリーダ端末２００が通信可能となる。複数のカード１００が同時にカードリーダ端末２００に近接すると、複数のカード１００のカードデータがカードリーダ端末２００に送信される。カードリーダ端末２００は、イベントＥ２３０において、複数のカード１００のカードデータを読み取って記憶部２０３に記憶する。その後、カードリーダ端末２００は、複数のカード１００のうちの１枚目のカードのカードデータを通知するために、インターフェース装置３００に対してカードデータ送信ＴＤ１を実行する。「１枚目」は、読み取り順で決めてもよく、他の選択規則で決めてもよい。
【００２５】
インターフェース装置３００は、当該１枚目のカードのカードデータを受信した後、直ちにカードリーダ端末２００に肯定応答ＡＣＫ１を送信する。この肯定応答ＡＣＫ１は、カードデータの認証のために上位ホスト装置４００と行う通信の完了（認証結果の受信）を待つことなく、インターフェース装置３００から発行されることが好ましく、特に、カードデータを上位ホスト装置４００に送信する前に発行されることが好ましい。カードリーダ端末２００は、肯定応答ＡＣＫ１を受信すると、これに応じてスリープ状態に移行する。なお、カードリーダ端末２００は、一定時間内に肯定応答ＡＣＫ１を受信していない場合に、再度１枚目のカードのカードデータをインターフェース装置３００に送信するように設定してもよい。また、インターフェース装置３００は、１枚分のカードのカードデータを受信した後にカードリーダ端末２００に肯定応答ＡＣＫ１を直ちに送信しないものとしてもよい。この場合には、カードリーダ端末２００は、インターフェース装置３００に１枚目のカードのカードデータ送信ＴＤ１を実行した後に、インターフェース装置３００からの応答を待たずにスリープ状態に移行するようにしてもよい。
【００２６】
インターフェース装置３００は、受信した１枚目のカードのカードデータを通知するために、上位ホスト装置４００に対してカードデータ送信ＴＴＤ１を実行する。上位ホスト装置４００は、当該１枚目のカードのカードデータを受信した後、イベントＥ４２０において、カードデータの認証を行う。その後、上位ホスト装置４００は、当該１枚目のカードの認証結果を通知するために、インターフェース装置３００に対して認証結果送信ＴＶ１を実行する。図３の例では、当該１枚目のカードの認証結果は認証失敗である。インターフェース装置３００は、当該１枚目のカードの認証結果を受信した後、イベントＥ３２０において、認証結果を記憶部３０３に記憶する。
【００２７】
一方、カードリーダ端末２００は、スリープ状態の開始から一定時間が経過すると、タイマー２０６（図２）が制御部２０２（図２）に対してタイマー割込を発生するように設定されている。制御部２０２は、このタイマー割込に応じてスリープ状態から通常動作状態に移行し、インターフェース装置３００に対してポーリングを行う。この例では、カードリーダ端末２００が最初のポーリングＰＬ１を実行する前に、インターフェース装置３００が既に１枚目のカードの認証結果を記憶部３０３に記憶している。そこで、インターフェース装置３００は、カードリーダ端末２００からのポーリングＰＬ１への応答として、１枚目のカードの認証結果（認証失敗）を通知するために、カードリーダ端末２００に対して認証結果送信ＴＴＶ１を実行する。
【００２８】
なお、ポーリングＰＬ１を受けた時点でインターフェース装置３００が１枚目のカードの認証結果を上位ホスト装置４００から未だ受信していない場合には、ポーリングＰＬ１に応じて、認証中であること（すなわち未認証であること）を通知する応答がインターフェース装置３００からカードリーダ端末２００に送信される。
【００２９】
カードリーダ端末２００は、認証失敗である旨の１枚目のカードの認証結果を受信した後、図４に示すように、複数のカード１００のうちの２枚目のカードのカードデータを通知するために、インターフェース装置３００に対してカードデータ送信ＴＤ２を実行する。インターフェース装置３００は、当該２枚目のカードのカードデータを受信した後、直ちにカードリーダ端末２００に肯定応答ＡＣＫ２を送信する。カードリーダ端末２００は、肯定応答ＡＣＫ２を受信すると、これに応じてスリープ状態に再度移行し、タイマー２０６をリセット（リスタート）する。
【００３０】
インターフェース装置３００は、受信した２枚目のカードのカードデータを通知するために、上位ホスト装置４００に対してカードデータ送信ＴＴＤ２を実行する。上位ホスト装置４００は、当該２枚目のカードのカードデータを受信した後、イベントＥ４３０において、カードデータの認証を行う。その後、上位ホスト装置４００は、当該２枚目のカードの認証結果を通知するために、インターフェース装置３００に対して認証結果送信ＴＶ２を実行する。図４の例では、当該２枚目のカードの認証結果は認証成功である。インターフェース装置３００は、当該２枚目のカードの認証結果を受信した後、イベントＥ３３０において、認証結果を記憶部３０３に記憶する。
【００３１】
上位ホスト装置４００は、認証に成功すると、イベントＥ４４０において、電気錠付き扉８００のセキュリティ状態をこれに応じて変化させる。本実施形態では、認証成功時のセキュリティ状態の変化は、施錠から解錠への変化である。上位ホスト装置４００は、このセキュリティ状態の変化を通知するためにインターフェース装置３００に対して状態送信ＴＣ２を実行する。インターフェース装置３００は、状態送信ＴＣ２を受信した後、イベントＥ３４０において変化後のセキュリティ状態を記憶部３０３に記憶する。
【００３２】
一方、カードリーダ端末２００は、スリープ状態の開始から一定時間経過後に発生するタイマー割込に応じて通常動作状態に移行し、インターフェース装置３００に対して２回目のポーリングＰＬ２を行う。図４の例では、カードリーダ端末２００から２回目のポーリングＰＬ２があったときに、インターフェース装置３００がまだ２枚目のカードの認証結果を記憶していない。このとき、インターフェース装置３００は、認証中であることを示す応答ＳＶをカードリーダ端末２００に送信する。カードリーダ端末２００は、応答ＳＶを受信すると、これに応じてスリープ状態に再度移行し、タイマー２０６をリセット（リスタート）する。
【００３３】
カードリーダ端末２００は、このスリープ状態の開始から一定時間経過後に発生するタイマー割込に応じて通常動作状態に再度移行し、インターフェース装置３００に対して３回目のポーリングＰＬ３を行う。インターフェース装置３００は、このポーリングＰＬ３の前に、イベントＥ３３０で２枚目のカードの認証結果を記憶部３０３に記憶しているので、この認証結果を読み出してカードリーダ端末２００に対して認証結果送信ＴＴＶ２を実行する。
【００３４】
カードリーダ端末２００は、インターフェース装置３００から認証成功である旨の２枚目のカードの認証結果を受信すると、これに応じて状態要求ＲＣ２をインターフェース装置３００に送信する。このとき、インターフェース装置３００は、記憶部３０３に記憶しているセキュリティ状態（解錠状態）を通知するために、カードリーダ端末２００に状態応答ＳＣ２を送信する。その後、カードリーダ端末２００は、イベントＥ２４０において、解錠状態を反映するように解錠ランプ２３０（図１）を点灯させる。これにより、カードの認証処理が終了し、カードの利用者が電気錠付き扉８００を開けることができる。なお、カードリーダ端末２００はこの後、一定の時間が経過するとスリープ状態に移行する。
【００３５】
なお、図３のイベントＥ４２０において１枚目のカードのカードデータの認証結果が認証成功の場合には、上位ホスト装置４００が直接図４の認証結果送信ＴＶ２を実行するとともにイベントＥ４４０以降に移行し、インターフェース装置３００が図４のイベントＥ３３０以降に移行し、カードリーダ端末２００が図４の認証結果送信ＴＴＶ２以降に移行する。
【００３６】
また、図３において、上位ホスト装置４００の状態変化のイベントＥ４１０及び状態送信ＴＣ１と、インターフェース装置３００の状態記憶のイベントＥ３１０及び状態応答ＳＣ１と、カードリーダ端末２００の状態要求ＲＣ１は、省略してもよい。
【００３７】
図５及び図６は、比較例におけるカード認証処理の流れの一例を表すシーケンス図である。図５において、カードリーダ端末２００の起動後に、インターフェース装置３００は、カードリーダ端末２００からの状態要求ＲＣ１を受信すると、これに応じて上位ホスト装置４００に状態確認ＶＣ１を送信する。続いて、上位ホスト装置４００がセキュリティ状態を通知するためにインターフェース装置３００に対して状態送信ＴＣ１を実行した後に、インターフェース装置３００は、カードリーダ端末２００に状態応答ＳＣ１を送信する。ここで、カードリーダ端末２００は、状態要求ＲＣ１を送信してから状態応答ＳＣ１を受信するまでの間に、受信待ちのために通常動作状態を維持するので、前述した実施形態に比べて電力消費量が増大する。
【００３８】
カードリーダ端末２００は、イベントＥ２３０において複数のカード１００のカードデータを読み取って記憶した後に、複数のカード１００のうちの１枚目のカードのカードデータを通知するために、インターフェース装置３００に対してカードデータ送信ＴＤ１を実行する。インターフェース装置３００は、受信した１枚目のカードのカードデータを通知するために、上位ホスト装置４００に対してカードデータ送信ＴＴＤ１を実行する。上位ホスト装置４００は、イベントＥ４２０において受信した１枚目のカードのカードデータの認証を行った後、認証結果（認証失敗）を通知するためにインターフェース装置３００に対して認証結果送信ＴＶ１を実行する。インターフェース装置３００は、受信した１枚目のカードの認証結果を通知するために、カードリーダ端末２００に対して認証結果送信ＴＴＶ１を実行する。
【００３９】
ここで、カードリーダ端末２００は、１枚目のカードのカードデータ送信ＴＤ１を実行してから認証結果を受信するまでの間に、受信待ちのために通常動作状態を維持するので、前述した実施形態に比べて電力消費量が増大する。図６に示す２枚目以降のカードのカードデータについても同様である。
【００４０】
以上説明したように、本発明の一実施形態では、カードリーダ端末２００は、複数のカード１００の全てのカードのカードデータをインターフェース装置３００に送信せずに１枚目のカードのカードデータを送信するので、複数のカード１００の全てのカードデータを同時にインターフェース装置３００に送信する場合に比べて、電力消費量を削減できる。また、１枚のカードのカードデータをインターフェース装置３００に送信する度に、通常動作状態から電力消費量が小さなスリープ状態に移行するので、電力消費量を削減できる。
【００４１】
・変形例：
なお、この発明は上記の実施例や実施形態に限られるものではなく、その要旨を逸脱しない範囲において種々の態様において実施することが可能であり、例えば次のような変形も可能である。
【００４２】
・変形例１：
以上の実施形態では、無線カードリーダシステム９００を電気錠付き扉８００の解錠／施錠に利用しているが、その代わりに、電子機器や金庫等の他の種類の装置の使用許可／禁止等に利用してもよい。後者の場合には、その装置の使用許可と使用禁止がセキュリティ状態に相当する。
【００４３】
本発明は、上述の実施形態や変形例に限られるものではなく、その趣旨を逸脱しない範囲において種々の構成で実現することができる。例えば、発明の概要の欄に記載した各形態中の技術的特徴に対応する実施形態や変形例中の技術的特徴は、上述の課題の一部又は全部を解決するために、あるいは、上述の効果の一部又は全部を達成するために、適宜、差し替えや、組み合わせを行うことが可能である。また、その技術的特徴が本明細書中に必須なものとして説明されていなければ、適宜、削除することが可能である。
【符号の説明】
【００４４】
１００…カード
２００…カードリーダ端末
２０１…読取部
２０２…制御部
２０３…記憶部
２０４…通信部
２０５…電池
２０６…タイマー
２１０…カードリーダケース
２２０…施錠ランプ
２３０…解錠ランプ
２４０…起動スイッチ
３００…インターフェース装置
３０１…第１通信部
３０２…制御部
３０３…記憶部
３０４…第２通信部
４００…上位ホスト装置
４０１…通信部
４０２…制御部
４０３…認証部
８００…電気錠付き扉
９００…無線カードリーダシステム
【図１】
2018128837.tif 000003
【図２】
2018128837.tif 000004
【図３】
2018128837.tif 000005
【図４】
2018128837.tif 000006
【図５】
2018128837.tif 000007
【図６】
2018128837.tif 000008